(57)【特許請求の範囲】
【請求項１】
回路の過電流通電時に湾曲してトリップのための駆動力を提供するバイメタル、前記バイメタルに接触してバイメタルの駆動力を伝達するシフター機構、拘束の解除時に回路を遮断するトリップ位置に回動可能なトリップ機構、前記トリップ機構を拘束する位置から前記シフター機構から伝達される駆動力により前記トリップ機構を解除する位置に移動可能なトリップラッチ機構、及び前記シフター機構と前記トリップラッチ機構間の間隔を調整する調整ノブを含む熱動形過負荷保護装置のトリップ感度調整方法において、
前記シフター機構と前記トリップラッチ機構間の間隔を決定するために、前記バイメタルの位置と前記トリップラッチ機構のトリップ動作時の移動距離とを測定する段階と、
前記測定された位置と移動距離に関する情報及び予め決定されたトリップ距離情報に基づいて、前記シフター機構の設置位置を決定する段階と、
前記バイメタルの位置情報に基づいて、前記シフター機構を加工する段階と、
前記加工されたシフター機構を前記決定された設置位置に設置する段階と、
予め決定された許容可能なトリップ動作時間と試験動作させたトリップ動作時間との差を回転角度に変換してトリップ動作電流値の目盛り位置を決定する段階と、
を含むことを特徴とする熱動形過負荷保護装置のトリップ感度調整方法。
【請求項２】
前記シフター機構を加工する段階は、前記バイメタルの位置情報に基づいて３相用の３つのバイメタルを挟んで収容できるように、一体の前記シフター機構を上下の２つのシフター機構に分離されるように切断する加工段階であることを特徴とする請求項１に記載の熱動形過負荷保護装置のトリップ感度調整方法。
【請求項３】
回路の過電流通電時に湾曲してトリップのための駆動力を提供するバイメタル、前記バイメタルに接触してバイメタルの駆動力を伝達するシフター機構、拘束の解除時に回路を遮断するトリップ位置に回動可能なトリップ機構、前記トリップ機構を拘束する位置から前記シフター機構から伝達される駆動力により前記トリップ機構を解除する位置に移動可能なトリップラッチ機構、及び前記シフター機構と前記トリップラッチ機構間の間隔を調整する調整ノブを含む熱動形過負荷保護装置のトリップ感度調整方法において、
前記調整ノブの調整基準点位置を設定する調整基準点設定段階と、
回路の正常電流通電時に前記バイメタルの位置を測定するバイメタル正常位置測定段階と、
前記トリップラッチ機構をトリップ動作方向に人為的に移動操作してトリップ発生時の移動距離を測定するトリップラッチ機構トリップ動作時の移動距離測定段階と、
前記測定された前記トリップラッチ機構トリップ動作時の移動距離、予め決定された前記シフター機構と前記トリップラッチ機構間のトリップ距離情報、及び前記シフター機構のサイズ情報に基づいて、前記シフター機構の組み立て位置を決定するシフター組み立て位置決定段階と、
前記決定された組み立て位置に前記シフター機構を組み立てるシフター組み立て段階と、
予め決定された過電流を前記熱動形過負荷保護装置に通電させる過電流通電段階と、
トリップが発生するまで過電流通電時間を測定する過電流通電時間測定段階と、
前記測定された通電時間と予め決定されたトリップ時間との差を回転角度に変換計算する回転角度変換計算段階と、
前記調整基準点設定段階で初期設定した調整基準点位置から前記回転角度変換計算段階で計算された回転角度だけ調整した位置にトリップ動作電流の目盛りをマーキングする目盛りマーキング段階と
を含むことを特徴とする熱動形過負荷保護装置のトリップ感度調整方法。
【請求項４】
前記シフター組み立て位置決定段階と前記シフター組み立て段階との間に、前記バイメタル正常位置測定段階で測定した回路の正常電流通電時の前記バイメタルの位置情報に基づいて前記シフター機構を加工するシフター機構加工段階をさらに含むことを特徴とする請求項３に記載の熱動形過負荷保護装置のトリップ感度調整方法。
【請求項５】
前記シフター機構加工段階は、前記バイメタルの位置情報に基づいて３相用の３つのバイメタルを挟んで収容できるように、一体の前記シフター機構を上下の２つのシフター機構に分離されるように切断する加工段階であることを特徴とする請求項４に記載の熱動形過負荷保護装置のトリップ感度調整方法。
【請求項６】
前記回転角度変換計算段階は、
前記測定された通電時間と予め決定されたトリップ時間との差を計算する時間差計算段階と、
前記計算された時間差を回転角度に変換計算する時間差回転角度変換計算段階とを含むことを特徴とする請求項３に記載の熱動形過負荷保護装置のトリップ感度調整方法。
【請求項７】
前記目盛りマーキング段階は、
前記回転角度変換計算段階で計算された回転角度で前記調整ノブの周囲に目盛り部材を設置する目盛り部材設置段階と、
前記目盛り部材に目盛りをマーキングする目盛りマーキング段階と、を含むことを特徴とする請求項３に記載の熱動形過負荷保護装置のトリップ感度調整方法。
【請求項８】
前記目盛りマーキング段階は、
前記回転角度変換計算段階で計算された回転角度だけ前記初期設定した調整基準点位置から調整された位置の前記調整ノブの周囲に目盛りをマーキングする目盛りマーキング段階を含むことを特徴とする請求項３に記載の熱動形過負荷保護装置のトリップ感度調整方法。
【請求項９】
前記目盛りマーキング段階は、
前記回転角度変換計算段階で計算された回転角度で前記調整ノブの周囲に目盛り部材を設置する目盛り部材設置段階と、
前記目盛り部材に目盛りをマーキングする目盛りマーキング段階と、
他のトリップ動作電流の選択的設定のための追加トリップ動作設定電流の目盛りマーキングのために、前記調整ノブを任意仮調整位置に回転操作する調整ノブ仮調整段階と、
前記過電流通電段階、前記過電流通電時間測定段階、及び前記回転角度変換計算段階を再び行う段階と、
前記回転角度変換計算段階で計算された回転角度に前記調整ノブの回転位置を調整し、前記目盛り部材の調整された該当回転位置に追加トリップ動作電流の目盛りをマーキングする目盛り追加マーキング段階と、を含むことを特徴とする請求項３に記載の熱動形過負荷保護装置のトリップ感度調整方法。
【請求項１０】
前記目盛りマーキング段階は、
前記回転角度変換計算段階で計算された回転角度だけ前記初期設定した調整基準点位置から調整した位置の前記調整ノブの周囲に目盛りをマーキングする目盛りマーキング段階と、
他のトリップ動作電流の選択的設定のための追加トリップ動作設定電流の目盛りマーキングのために、前記調整ノブを任意仮調整位置に回転操作する調整ノブ仮調整段階と、
前記過電流通電段階、前記過電流通電時間測定段階、及び前記回転角度変換計算段階を再び行う段階と、
前記回転角度変換計算段階で計算された回転角度に前記調整ノブの回転位置を調整し、前記調整ノブ周囲の該当調整された回転位置に追加トリップ動作電流の目盛りをマーキングする目盛り追加マーキング段階と、を含むことを特徴とする請求項３に記載の熱動形過負荷保護装置のトリップ感度調整方法。
【発明の詳細な説明】
【技術分野】
【０００１】
本発明は、過負荷（過電流）から電動機を保護する装置に関し、特に、熱動形過負荷保護装置において、トリップ電流の感度設定調整方法に関する。
【背景技術】
【０００２】
熱動形過負荷トリップ装置の基本機能である過負荷保護機能は、電気的回路に過負荷又は過電流が発生すると、該当過負荷又は過電流が予め設定されたトリップ動作条件を満たす電流範囲に属するときにトリップ動作を行う。このような電流範囲は、国際的な電気規格で定められたＩＥＣ（International Electrotechnical Commission）規格に準拠したトリップ動作電流範囲であり、例えば、定格電流の１．２倍の電流が回路に通電すると２時間以内にトリップ動作をしなければならず、定格電流の１．０５倍の電流が通電すると２時間以上数時間以内にトリップ動作をしなければならないなどのトリップ動作条件である。
【０００３】
熱動形過負荷（過電流）トリップ装置は、一般的に回路に接続されて過電流発生時に発熱するヒータコイルを備え、前記ヒータコイルが巻かれ、前記ヒータコイルが発熱すると、湾曲してトリップのための駆動力を提供するバイメタルを駆動アクチュエータとして備える。以下、このようなバイメタルを利用する熱動形過負荷トリップ装置の一例を図１０及び図１１を参照して説明する。
【０００４】
図１０は、従来の熱動形過負荷トリップ装置の構成を示す図であり、図１１は、従来の熱動形過負荷トリップ装置の調整カムとトリップ感度調整範囲との関係を説明するための図である。
【０００５】
図１０において、符号１はバイメタルである。バイメタル１は、３相交流の各相回路に接続されるように３つ備えられ、前述したように、過電流発生時に発熱するヒータコイル（図示せず）からの熱によって湾曲してトリップのための駆動力を提供する。符号２はシフター機構である。シフター機構２は、バイメタル１からのトリップのための駆動力を伝達する手段であり、湾曲によるバイメタル１からの駆動力を受けるためにバイメタル１と両方向に接触し、図の水平方向に移動できる。図１０において、符号３は、トリップ機構であり、スプリング（符号なし）によりトリップ時の動作方向に回動するように付勢される。図１０において、符号４は、トリップ機構３をトリップ時の動作方向に回転するように解除するか、又はトリップ時の動作方向に回転できないように拘束するラッチ機構である。ラッチ機構４の一端部は、前記シフター機構２からの駆動力を受けるためにシフター機構２の動力伝達部分に対向して設置され、他端部は前記トリップ機構３を拘束又は解除できるようにトリップ機構３の回動軌跡上に位置し、中間部は回転軸（符号なし）によって回動可能に支持される。符号６は、前記拘束位置におけるトリップ機構３とラッチ機構４との接触点である。図１０において、ラッチ機構４の一部分の接触位置には、ラッチ機構４に接触し、接触圧力を変化させることにより、前記ラッチ機構４がシフター機構２に近づく位置又はシフター機構２から遠ざかる位置に変位させる調整ノブ機構５が回転可能に備えられる。ここで、調整ノブ機構５は、外周の変位角に応じて半径が変化するカム部９と、カム部９を回転駆動できるようにカム部９に結合されるか、又はカム部９から一体に延設される調整ノブとを含む。図１０において、符号ｙは、バイメタル湾曲変位（変位量）であり、回路の予め設定された過電流通電時にバイメタル１が湾曲する予め設定された変位量（距離）を示す。また、符号Δｙは、トリップ動作余裕であり、予め設定された過電流発生時にバイメタル１の予め設定された湾曲量ｙだけシフター機構２が移動したときのシフター機構２とラッチ機構４との予め設定された間隔である。さらに、トリップ動作余裕（Δｙ）は、調整ノブ機構５により調整できる。
【０００６】
以下、図１１を参照して従来の調整ノブ機構５に含まれるカム部９の構成を詳細に説明する。
【０００７】
図１１の符号ａは、カム調整可能範囲であり、最大トリップ動作鈍感調整位置１２と最大トリップ動作敏感調整位置１３の角度を示す。しかしながら、従来の熱動形過負荷トリップ装置は、製造者が装置を製造するとき、図１０の調整ノブ１０を回転操作してカム部９の初期位置（すなわち、カム部初期設定位置１１）を調整しておくため、実質的に使用者がカム部９の回転角度を調整できる範囲は、実質カム調整可能範囲ｂとなる。図１１において、符号ｃは、初期設定カム操作範囲である。
【０００８】
以下、前述したように構成される従来の熱動形過負荷トリップ装置の動作について説明する。
【０００９】
まず、トリップ動作について説明する。回路の過電流によりヒータコイル（図示せず）が発熱すると、バイメタル１が湾曲して図の右側に移動する。従って、湾曲量ｙにトリップ動作余裕（Δｙ）を加算した値以上に湾曲したバイメタル１の駆動力により、シフター機構２も湾曲量ｙにトリップ動作余裕（Δｙ）を加算した値だけ図１０の右側、すなわち、過電流発生時のシフター機構動作方向７に移動し、それにより、ラッチ機構４が右側に加圧されて図の反時計方向に回転する。そうすると、ラッチ機構４で拘束されていたトリップ機構３が解除されてスプリング（符号なし）の弾性力によりトリップ方向、すなわち、図の反時計方向に回動し、後続開閉機構（図示せず）がトリップ（回路開放）位置に動作して回路がトリップ（遮断）されることにより、回路及び負荷機器が保護される。
【００１０】
次に、トリップ動作の感度調整動作を図１０及び図１１を参照して説明する。
【００１１】
図１１において、製造者がカム部初期設定位置１１のようにカム部９の初期位置を調整した状態で、図１０において、使用者がカム部９を反時計方向に回転させると、ラッチ機構４が回転軸（符号なし）を中心に時計方向、すなわち、トリップ動作感度敏感調整方向８に回転し、これにより、トリップ動作余裕（Δｙ）が減少し、過電流に対する装置のトリップ動作感度が敏感になる。
【発明の開示】
【発明が解決しようとする課題】
【００１２】
本発明は、前述したような従来技術の問題を解決するためのものであり、本発明の目的は、過負荷（過電流）に対するトリップ動作感度調整を正確かつ効果的に実行できる熱動形過負荷保護装置のトリップ感度調整方法を提供することにある。
【課題を解決するための手段】
【００１３】
このような目的を達成するために、本発明による熱動形過負荷保護装置のトリップ感度調整方法は、回路の過電流通電時に湾曲してトリップのための駆動力を提供するバイメタル、前記バイメタルに接触してバイメタルの駆動力を伝達するシフター機構、拘束の解除時に回路を遮断するトリップ位置に回動可能なトリップ機構、前記トリップ機構を拘束する位置から前記シフター機構から伝達される駆動力により前記トリップ機構を解除する位置に移動可能なトリップラッチ機構、及び前記シフター機構と前記トリップラッチ機構間の間隔を調整する調整ノブを含む熱動形過負荷保護装置のトリップ感度調整方法において、前記シフター機構と前記トリップラッチ機構間の間隔を決定するために、前記バイメタルの位置と前記トリップラッチ機構のトリップ動作時の移動距離を測定する段階と、前記測定された位置と移動距離に関する情報及び予め決定されたトリップ距離情報に基づいて、前記シフター機構の設置位置を決定する段階と、前記バイメタルの位置情報に基づいて、前記シフター機構を加工する段階と、前記加工されたシフター機構を前記決定された設置位置に設置する段階と、予め決定された許容可能なトリップ動作時間と試験動作させたトリップ動作時間との差を回転角度に変換してトリップ動作電流値の目盛り位置を決定する段階とを含む。
【発明の効果】
【００１４】
本発明による熱動形過負荷保護装置のトリップ感度調整方法は、過負荷（過電流）に対するトリップ動作感度調整を正確かつ効果的に実行できるという効果がある。
【発明を実施するための最良の形態】
【００１５】
本発明の目的とこれを達成するための本発明の構成及びその作用効果は、添付図面を参照した本発明の好ましい実施形態に関する以下の説明に基づいて明確に理解できるであろう。
【００１６】
図１は、本発明による熱動形過負荷保護装置の構成を概略的に示す図であり、図２は、本発明による熱動形過負荷保護装置の調整ノブと調整領域との関係を説明するための図であり、図３は、本発明による熱動形過負荷保護装置がトリップ動作する瞬間を示す動作状態図である。
【００１７】
以下、図１〜図３を参照して本発明による熱動形過負荷保護装置の構成及び動作について説明する。
【００１８】
本発明による熱動形過負荷保護装置は、図１に示すように、回路の過電流通電時に湾曲してトリップのための駆動力を提供するバイメタル１と、バイメタル１に接触してバイメタル１の駆動力を伝達するシフター機構２と、拘束の解除時に回路を遮断するトリップ位置に回動可能なトリップ機構３と、トリップ機構３を拘束する位置からシフター機構２から伝達される駆動力によりトリップ機構３を解除する位置に移動可能なトリップラッチ機構４と、シフター機構２とトリップラッチ機構４間の間隔を調整する調整ノブ（図２の符号１０、図１には調整ノブの下部に形成されたカム部９を示す）を含む。
【００１９】
バイメタル１は、３相の交流回路の各相に対応するように３つ備えられ、過電流の発生時に発熱するヒータコイル（図示せず）からの熱により湾曲してトリップのための駆動力を提供する。
【００２０】
シフター機構２は、本発明によって測定されたバイメタル１の位置情報に基づいて３相用の３つのバイメタル１を挟んで収容できるように、一体の前記水平移動シフターを上部水平移動シフター２ａと下部水平移動シフター２ｂの２つのシフター機構に分離されるように切断して構成される。シフター機構２は、上部水平移動シフター２ａと下部水平移動シフター２ｂにそれぞれ上部と下部が接続されて上部水平移動シフター２ａと下部水平移動シフター２ｂの水平移動によって回動可能な回動シフター２ｃを含む。
【００２１】
図１及び図３において、符号３は、トリップ機構である。トリップ機構３は、スプリング（符号なし）によりトリップ時の動作方向に回動するように付勢される。図１及び図３において、符号４は、トリップ機構３をトリップ時の動作方向に回転するように解除するか、又はトリップ時の動作方向に回転できないように拘束するトリップラッチ機構である。トリップラッチ機構４は、一端部がシフター機構２からの駆動力を受けるためにシフター機構２の動力伝達部分に対向して設置され、他端部が前記トリップ機構３を拘束したり、その拘束を解除するようにトリップ機構３の回動軌跡上に位置し、中間部位が回転軸（符号なし）によって回動可能に支持される。符号６は、前記拘束位置におけるトリップ機構３とトリップラッチ機構４との接触点を示す。図１及び図３において、ラッチ機構４の一部分に接触する位置には、トリップラッチ機構４に接触し、その接触圧力を変化させることにより、トリップラッチ機構４をシフター機構２に近づく位置又はシフター機構２から遠ざかる位置に変位させる調整ノブ機構５が回転可能に備えられる。ここで、調整ノブ機構５は、その下部に変位角に応じて半径が変化するカム部９を備え、カム部９を回転駆動できるようにカム部９と結合するか又はカム部９と一体に上部に延設された調整ノブ１０を含む。図２に示すように、調整ノブ１０の上面の中央部にはトリップ電流の設定値を示す設定指示矢印がマーキングされている。
【００２２】
図２において、符号ａは、カム調整可能範囲であり、すなわち、トリップ動作電流調整可能範囲である。カム調整可能範囲ａは、従来技術と同様に最大トリップ動作鈍感調整位置と最大トリップ動作敏感調整位置間の角度である。
【００２３】
以下、前述したように構成される本発明による熱動形過負荷保護装置の動作について図１〜図３を参照して説明する。
【００２４】
まず、トリップ動作について説明する。回路の過電流によりヒータコイル（図示せず）が発熱すると、バイメタル１が図の右側に湾曲して移動する。従って、湾曲するバイメタル１の駆動力によりシフター機構２の上部水平移動シフター２ａは停止した状態で下部水平移動シフター２ｂが図１の右側に移動するので、回動シフター２ｃが反時計方向に回転して回動シフター２ｃの下段部が図３に示すようにトリップラッチ機構４を右側に加圧して図の反時計方向に回転させる。そうすると、ラッチ機構４により拘束されていたトリップ機構３が解除されてスプリング（符号なし）の弾性力によりトリップ方向、すなわち、図の反時計方向に回転し、後続開閉機構（図示せず）がトリップ（回路開放）位置に動作して回路がトリップ（遮断）されることにより、回路及び負荷機器が保護される。
【００２５】
以下、本発明による熱動形過負荷保護装置のトリップ感度調整方法によるトリップ動作の感度調整動作を図４及び図５〜図８を参照して説明する。熱動形過負荷保護装置の構成については図１〜図３を参照する。
【００２６】
図４は、本発明により組み立てられる調整ノブ、調整基準点（矢印）、及び設定トリップ電流の目盛り部材を示す平面図であり、図５は、本発明による熱動形過負荷保護装置のトリップ感度調整方法の構成を示すフローチャートであり、図６は、図５の方法に追加される段階を示すフローチャートであり、図７は、図５の方法のうち段階ＳＴ８の詳細構成を示すフローチャートであり、図８は、図５の方法のうち段階ＳＴ９の詳細構成を示すフローチャートである。
【００２７】
本発明による熱動形過負荷保護装置のトリップ感度調整方法は、前述したように、回路の過電流通電時に湾曲してトリップのための駆動力を提供するバイメタル１と、バイメタル１に接触してバイメタル１の駆動力を伝達するシフター機構２と、拘束の解除時に回路を遮断するトリップ位置に回動可能なトリップ機構３と、トリップ機構３を拘束する位置からシフター機構２から伝達される駆動力によりトリップ機構３を解除する位置に移動可能なトリップラッチ機構４と、シフター機構２とトリップラッチ機構４間の間隔を調整する調整ノブ１０と、を含む熱動形過負荷保護装置に利用できる方法である。
【００２８】
本発明による熱動形過負荷保護装置のトリップ感度調整方法（以下、調整方法という）は、図５に示すように、シフター機構２とトリップラッチ機構４間の間隔を決定するために、バイメタル１の位置とトリップラッチ機構４のトリップ動作時の移動距離を測定する段階（ＳＴ２及びＳＴ３）と、前記測定された位置と移動距離に関する情報及び予め決定されたトリップ距離情報に基づいて、シフター機構２の設置位置（組み立て位置）を決定する段階（ＳＴ４）と、バイメタル１の位置情報に基づいてシフター機構２を加工する段階（図６のＳＴ４−１）と、前記加工されたシフター機構２を前記決定された設置位置（組み立て位置）に設置する（組み立てる）段階（ＳＴ５）と、予め決定された許容可能なトリップ動作時間と試験動作させたトリップ動作時間との差を回転角度に変換（計算）してトリップ動作電流値の目盛り位置を決定する段階（ＳＴ６〜ＳＴ８）とから構成される。
【００２９】
段階ＳＴ２及びＳＴ３は、詳しく説明すると、回路の正常電流通電時のバイメタル１の位置を測定するバイメタル正常位置測定段階（ＳＴ２）と、トリップラッチ機構４をトリップ動作方向に人為的に移動操作してトリップ発生時の移動距離を測定するトリップラッチ機構トリップ動作時の移動距離測定段階（ＳＴ３）である。
【００３０】
バイメタル正常位置測定段階（ＳＴ２）とトリップラッチ機構トリップ動作時の移動距離測定段階（ＳＴ３）の前に、本発明による調整方法は、調整ノブ１０の調整基準点位置を設定する調整基準点設定段階（ＳＴ１）を含む。このような調整基準点設定段階（ＳＴ１）で調整基準点位置を設定することは、図２及び図４に示す設定指示矢印１０ａが図２に示すカム調整可能範囲、すなわち、トリップ動作電流調整可能範囲ａ内の任意角度を示すように、初期設定角度で調整ノブ１０を手動回転操作する動作を意味する。
【００３１】
バイメタル正常位置測定段階（ＳＴ２）は、回路の正常電流通電時にバイメタル１の位置を測定して位置情報を得る段階であり、多様な長さ計測機構により実現できる。
【００３２】
トリップラッチ機構トリップ動作時の移動距離測定段階（ＳＴ３）は、トリップラッチ機構４をトリップ動作方向（図１及び図３の反時計方向）に人為的に移動操作して、トリップラッチ機構４の初期位置からトリップが発生する瞬間の位置までの距離（すなわち、トリップラッチ機構４とシフター機構２の接触点が移動する距離）を測定する段階であり、多様な長さ計測機構により実現できる。
【００３３】
シフター機構２の設置位置（組み立て位置）を決定する段階（ＳＴ４）は、前記測定する段階（図５のＳＴ２及びＳＴ３）で得た位置情報と距離情報及び予め決定されたトリップ距離情報に基づいて、シフター機構２の設置位置（組み立て位置）を決定する段階である。前記予め決定されたトリップ距離情報とは、例えば国際電気規格、電気安全規格などで規定された定格電流の規定倍率（例えば、定格電流の１０５％、１２０％など）に該当する過電流の通電許容時間によって予め算出できるバイメタル１の湾曲量（湾曲距離、図１０の符号ｙを参照）である。
【００３４】
シフター機構２の設置位置を決定する段階（ＳＴ４）では、また、前記測定された前記トリップラッチ機構トリップ動作時の移動距離、予め決定されたシフター機構２とトリップラッチ機構４間のトリップ距離情報、及びシフター機構２のサイズ情報に基づいて、シフター機構２の組み立て位置を決定してもよい。
【００３５】
バイメタル１の位置情報に基づいてシフター機構２を加工する段階（図６のＳＴ４−１）は、段階ＳＴ２で得たバイメタルの位置情報に基づいて３相用の３つのバイメタル１を挟んで収容できるように一体のシフター機構２を上下の２つのシフター機構に分離されるように切断する加工を含む。
【００３６】
前記加工されたシフター機構２を前記段階（ＳＴ４）で決定された設置位置（組み立て位置）に設置する（組み立てる）段階（ＳＴ５）は、前述したように加工したシフター機構２を前記段階（ＳＴ４）で決定された設置位置（組み立て位置）に設置する（組み立てる）段階である。
【００３７】
予め決定された許容可能なトリップ動作時間と試験動作させたトリップ動作時間との差を回転角度に変換（計算）してトリップ動作電流値の目盛り位置を決定する段階（ＳＴ６〜ＳＴ８）は、予め決定された過電流を前記熱動形過負荷保護装置に通電させる過電流通電段階（ＳＴ６）と、トリップが発生するまで過電流通電時間を測定する過電流通電時間測定段階（ＳＴ７）と、前記過電流通電時間測定段階（ＳＴ７）で測定された通電時間と予め決定されたトリップ時間との差を調整ノブ１０の回転角度に変換計算する回転角度変換計算段階（ＳＴ８）とを含む。
【００３８】
回転角度変換計算段階（ＳＴ８）は、前記時間差を測定された通電時間、設置されたシフター機構２とトリップラッチ機構４間の距離、規格に準拠して予め決定されたトリップ時間に鑑みて予め定義された演算式で調整ノブ１０の回転角度に変換計算する段階である。
【００３９】
回転角度変換計算段階（ＳＴ８）は、図７に示すように、前記測定された通電時間と予め決定されたトリップ時間との差を計算する時間差計算段階（ＳＴ８−１）と、前記時間差計算段階（ＳＴ８−１）で計算された時間差を調整ノブ１０の回転角度に変換計算する時間差回転角度変換計算段階（ＳＴ８−２）とに分けられる。
【００４０】
本発明による調整方法は、前記調整基準点設定段階（ＳＴ１）で初期設定した調整基準点位置から前記回転角度変換計算段階（ＳＴ８）で計算された回転角度だけ調整した位置にトリップ動作電流の目盛りをマーキングする目盛りマーキング段階（ＳＴ９）をさらに含む。
【００４１】
また、本発明による調整方法は、他の実施形態として、前記目盛りマーキング段階（ＳＴ９）の代わりに、前記回転角度変換計算段階（ＳＴ８）で計算された回転角度だけ調整した位置にトリップ動作電流の目盛りを予めマーキングした目盛り部材を設置する段階を含むことができる。
【００４２】
前記目盛りマーキング段階（ＳＴ９）は、図８に示すように、前記回転角度変換計算段階（ＳＴ８）で計算された回転角度で調整ノブ１０の周囲に目盛り部材１０ｂを設置する目盛り部材設置段階（ＳＴ９−１）と、前記目盛り部材に目盛りをマーキングする目盛りマーキング段階（ＳＴ９−２）とを含む。
【００４３】
前記目盛りマーキング段階（ＳＴ９）は、他の実施形態として、定格電流別に動作しなければならないトリップ動作電流を予め定義して目盛り部材にマーキングする段階と、前記回転角度変換計算段階（ＳＴ８）で計算された回転角度だけ調整した位置に目盛り部材を設置する段階とを含むこともできる。
【００４４】
一方、熱動形過負荷トリップ装置がトリップ動作するための電流を使用者が多様に選択できるようにするために、本発明による前記目盛りマーキング段階（ＳＴ９）は、図５及び図９に示すように、前記回転角度変換計算段階（ＳＴ８）で計算された回転角度だけ前記初期設定した調整基準点位置から調整した位置の調整ノブ１０の周囲に目盛りをマーキングする目盛りマーキング段階（ＳＴ９）と、他のトリップ動作電流の選択的設定のための追加トリップ動作設定電流の目盛りマーキングのために、調整ノブ１０を任意仮調整位置に回転操作する調整ノブ仮調整段階（ＳＴ９−２ａ）と、前記過電流通電段階（ＳＴ６）、前記過電流通電時間測定段階（ＳＴ７）、及び前記回転角度変換計算段階（ＳＴ８）などの段階を他のトリップ動作電流に対して再び行う段階（ＳＴ９−２ｂ）と、前記回転角度変換計算段階（ＳＴ９−２ｂ）内の回転角度変換計算段階で計算された回転角度に調整ノブ１０の回転位置を調整して前記調整ノブ周囲の該当調整された回転位置に追加トリップ動作電流の目盛りをマーキングする目盛り追加マーキング段階（ＳＴ９−２ｃ）とを含む。
【図面の簡単な説明】
【００４５】
【図１】本発明による熱動形過負荷保護装置の構成を概略的に示す図である。
【図２】本発明による熱動形過負荷保護装置の調整ノブと調整領域との関係を説明するための図である。
【図３】本発明による熱動形過負荷保護装置がトリップ動作する瞬間を示す動作状態図である。
【図４】本発明により組み立てられる調整ノブ、調整基準点（矢印）、及び設定トリップ電流の目盛り部材を示す平面図である。
【図５】本発明による熱動形過負荷保護装置のトリップ感度調整方法を示すフローチャートである。
【図６】図５の方法に追加される段階を示すフローチャートである。
【図７】図５の方法のうち段階ＳＴ８の詳細構成を示すフローチャートである。
【図８】図５の方法のうち段階ＳＴ９の詳細構成を示すフローチャートである。
【図９】本発明により定格電流を複数選択設定できる本発明による調整方法を示すフローチャートである。
【図１０】従来の熱動形過負荷保護装置の構成を概略的に示す図である。
【図１１】従来の熱動形過負荷保護装置の調整ノブ、カム部、及び調整領域の関係を説明するための図である。
【符号の説明】
【００４６】
１    バイメタル
２    シフター機構
２ａ    上部水平移動シフター
２ｂ    下部水平移動シフター
２ｃ    回動シフター
３    トリップ機構
４    トリップラッチ機構
６    接触点
９    カム部
【図１】
0004648434.tif 000002
【図２】
0004648434.tif 000003
【図３】
0004648434.tif 000004
【図４】
0004648434.tif 000005
【図５】
0004648434.tif 000006
【図６】
0004648434.tif 000007
【図７】
0004648434.tif 000008
【図８】
0004648434.tif 000009
【図９】
0004648434.tif 000010
【図１０】
0004648434.tif 000011
【図１１】
0004648434.tif 000012